(57)【要約】【課題】組立手順書および分解手順書のいずれか一方を作成すれば、他方を自動的に作成することができると共に、組立手順書と分解手順書とを容易にかつ迅速に参照することができる手順書自動作成支援装置を提供する。【解決手段】本発明に係る手順書自動作成支援装置は、電子機器の組立手順の作業要素と分解手順の作業要素とが関連付けて記憶されたデータベースと、組立手順の作業要素又は分解手順の作業要素を参照して組立手順又は分解手順の作成を支援する作成支援手段と、組立手順が作成されている場合には、その組立手順を前記データベースに基づいて変換して分解手順を生成し、分解手順が作成されている場合には、その分解手順を前記データベースに基づいて変換して組立手順を生成する手順変換手段とを備えたことを特徴とする。【選択図】  図１
2007007740.tif 000002
【特許請求の範囲】
【請求項１】
電子機器の組立手順の作業要素と分解手順の作業要素とが関連付けて記憶されたデータベースと、
前記組立手順の作業要素又は前記分解手順の作業要素を参照して組立手順又は分解手順の作成を支援する作成支援手段と、
組立手順が作成されている場合には、その組立手順を前記データベースに基づいて変換して分解手順を生成し、分解手順が作成されている場合には、その分解手順を前記データベースに基づいて変換して組立手順を生成する手順変換手段と、
を備えたことを特徴とする手順書自動作成支援装置。
【請求項２】
前記データベースの登録および更新を行う登録更新手段と、
生成された組立手順又は分解手順を編集する編集手段と、
組立手順と分解手順とを切換えて表示する他、前記登録更新手段および前記編集手段に対するデータの入力および表示を行う入力表示手段と、
をさらに備えたことを特徴とする請求項１に記載の手順書自動作成支援装置。
【請求項３】
前記データベースに記憶される作業要素は、組立ておよび分解する共通の対象物、前記共通の対象物に対して行われる組立工程における作業内容、および前記共通の対象物に対して行われる分解工程における作業内容を含むことを特徴とする請求項１に記載の手順書自動作成支援装置。
【請求項４】
電子機器の組立手順の作業要素と分解手順の作業要素とが関連付けて記憶されたデータベースと、
前記組立手順の作業要素又は前記分解手順の作業要素を参照して組立手順又は分解手順の作成を支援する作成支援手段と、
組立手順が作成されている場合には、その組立手順を前記データベースに基づいて変換して分解手順を生成し、分解手順が作成されている場合には、その分解手順を前記データベースに基づいて変換して組立手順を生成する手順変換手段と、
を備えたサーバと、
前記サーバに電気通信回線を介して接続され、生成された前記組立手順および前記分解手順を適宜切換えて閲覧する端末と、
を備えたことを特徴とする手順書自動作成支援システム。
【請求項５】
前記サーバは、
前記データベースの登録および更新を行う登録更新手段と、
生成された組立手順又は分解手順を編集する編集手段と、
組立手順と分解手順とを切換えて表示する他、前記登録更新手段および前記編集手段に対するデータの入力および表示を行う入力表示手段と、
をさらに備えたことを特徴とする請求項４に記載の手順書自動作成支援システム。
【請求項６】
前記データベースに記憶される作業要素は、組立ておよび分解する共通の対象物、前記共通の対象物に対して行われる組立工程における作業内容、および前記共通の対象物に対して行われる分解工程における作業内容を含むことを特徴とする請求項４に記載の手順書自動作成支援システム。
【請求項７】
電子機器の組立手順の作業要素と分解手順の作業要素とを関連付けてデータベースを生成するステップと、
前記組立手順の作業要素又は前記分解手順の作業要素を参照して組立手順又は分解手順の作成を支援する作成支援ステップと、
組立手順が作成されている場合には、その組立手順を前記データベースに基づいて変換して分解手順を生成し、分解手順が作成されている場合には、その分解手順を前記データベースに基づいて変換して組立手順を生成する手順変換ステップと、
を備えたことを特徴とする手順書自動作成支援方法。
【請求項８】
前記データベースの登録および更新を行う登録更新ステップと、
生成された組立手順又は分解手順を編集する編集ステップと、
組立手順と分解手順とを切換えて表示する他、前記登録更新手段および前記編集手段に対するデータの入力および表示を行う入力表示ステップと、
をさらに備えたことを特徴とする請求項７に記載の手順書自動作成支援方法。
【請求項９】
前記データベースに記憶される作業要素は、組立ておよび分解する共通の対象物、前記共通の対象物に対して行われる組立工程における作業内容、および前記共通の対象物に対して行われる分解工程における作業内容を含むことを特徴とする請求項７に記載の手順書自動作成支援方法。
【発明の詳細な説明】
【技術分野】
【０００１】
本発明は、手順書自動作成支援装置、手順書自動作成支援システム、および手順書自動作成支援方法に係り、特に、電子機器の組立手順書、分解手順書等の手順書の自動作成を支援する手順書自動作成支援装置、手順書自動作成支援システム、および手順書自動作成支援方法に関する。
【背景技術】
【０００２】
従来から、電子機器等の製造現場では、各種電子部品や機構部品を組み立てていく工程において組立手順書が広く用いられている。
【０００３】
通常、組立手順書には、電子機器等の組立て工程を細部工程に分類し、組立ての順序に対応して細部工程に番号が付される。そして、番号が付された細部工程毎に、「何」を「何処」に「どのように」取り付ける等の説明が記されている。また、必要に応じて取り付け場所等を示す図面や取り付けに際して留意すべき事項等の補足説明が記される。
【０００４】
従来は、このような組立手順書の複写物を製造現場に持ち込み、製造担当者は適宜組立手順書の複写物を参照しながら電子機器等の組立てを行う形態が一般的であった。
【０００５】
他方、近年では、携帯型のパーソナルコンピュータ等やＬＡＮ等の電気通信回線も広く普及してきている。パーソナルコンピュータ等をＬＡＮ等の電気通信回線に接続することにより、共通のサーバに記憶されている電子手順書を参照する形態も可能となってきている。手順書の電子化によって、従来必要であった紙ベースの手順書の収納場所が不要となる他、必要な細部工程の記載箇所に短時間でアクセスできる等により製造現場での作業効率が向上する効果がある。
【０００６】
しかしながら、組立手順書等の文書を作成する作業は基本的には従来と大きく異なるところは無い。
【０００７】
組立手順書に限らず、文書作成の効率向上は種々の分野において共通して求められているところである。一般に、新たな文書を作成しようとする場合、既存の文書を用いてこれを編集することによって文書作成時間が短縮されることが多い。
【０００８】
例えば、特許文献１には、文書ファイルを新規に作成する際に、過去に作成されている文書から必要な箇所を抜き出して、抜き出した箇所と作成した文書とを関連付けて文書作成を支援する技術が開示されている。
【特許文献１】特開２００１−１７５６４８号公報
【発明の開示】
【発明が解決しようとする課題】
【０００９】
ところで、電子機器等の製造現場では、新規に電子機器等を組み立てる作業の他、保守等のために電子機器等の分解作業も行われる場合も多い。分解作業においては、組立手順書とは異なる分解手順書を参照しながら、作業担当者が電子機器等から電子部品や機構部品を取り外していく。
【００１０】
所定の部品の交換等の保守作業が終了した後は、再び組立手順書を参照しながら電子機器等を組み立てていく。
【００１１】
同一の電子機器等においては、組立て作業と分解作業とでは作業の方向は逆であるものの、作業対象物としての部品は共通である場合が多い。
【００１２】
しかしながら、従来から、組立手順書と分解手順書とは別個の文書として独立に作成されている。このため、手順書作成にかかる手間は大きなものとなっている。
【００１３】
また、保守作業を行う現場担当者は、電子機器等を分解した後再度組み立てる場合には、分解手順書と組立手順書とをそれぞれ別個に準備して参照する必要があり、現場での作業効率低下の要因にもなっている。
【００１４】
本発明は、上記事情に鑑みてなされたもので、組立手順書および分解手順書のいずれか一方を作成すれば、他方を自動的に作成することができると共に、組立手順書と分解手順書とを容易かつ迅速に参照することができる手順書自動作成支援装置、手順書自動作成支援システム、および手順書自動作成支援方法を提供することを目的とする。
【課題を解決するための手段】
【００１５】
本発明に係る手順書自動作成支援装置は、上記課題を解決するため、請求項１に記載したように、電子機器の組立手順の作業要素と分解手順の作業要素とが関連付けて記憶されたデータベースと、前記組立手順の作業要素又は前記分解手順の作業要素を参照して組立手順又は分解手順の作成を支援する作成支援手段と、組立手順が作成されている場合には、その組立手順を前記データベースに基づいて変換して分解手順を生成し、分解手順が作成されている場合には、その分解手順を前記データベースに基づいて変換して組立手順を生成する手順変換手段と、を備えたことを特徴とする。
【００１６】
また、本発明に係る手順書自動作成支援システムは、上記課題を解決するため、請求項４に記載したように、電子機器の組立手順の作業要素と分解手順の作業要素とが関連付けて記憶されたデータベースと、前記組立手順の作業要素又は前記分解手順の作業要素を参照して組立手順又は分解手順の作成を支援する作成支援手段と、組立手順が作成されている場合には、その組立手順を前記データベースに基づいて変換して分解手順を生成し、分解手順が作成されている場合には、その分解手順を前記データベースに基づいて変換して組立手順を生成する手順変換手段とを備えたサーバと、前記サーバに電気通信回線を介して接続され、生成された前記組立手順および前記分解手順を適宜切換えて閲覧する端末とを備えたことを特徴とする。
【００１７】
また、本発明に係る手順書自動作成支援方法は、上記課題を解決するため、請求項７に記載したように、電子機器の組立手順の作業要素と分解手順の作業要素とを関連付けてデータベースを生成するステップと、前記組立手順の作業要素又は前記分解手順の作業要素を参照して組立手順又は分解手順の作成を支援する作成支援ステップと、組立手順が作成されている場合には、その組立手順を前記データベースに基づいて変換して分解手順を生成し、分解手順が作成されている場合には、その分解手順を前記データベースに基づいて変換して組立手順を生成する手順変換ステップと、を備えたことを特徴とする。
【発明の効果】
【００１８】
組立手順書および分解手順書のいずれか一方を作成すれば、他方を自動的に作成することができると共に、組立手順書と分解手順書とを容易にかつ迅速に参照することができる。
【発明を実施するための最良の形態】
【００１９】
本発明に係る手順書自動作成支援装置、手順書自動作成支援システム、および手順書自動作成支援方法の実施形態について、添付図面を参照して説明する。
【００２０】
（１）構成
図１は、本発明の実施形態に係る手順書自動作成支援装置１の構成例を示す図である。
【００２１】
手順書自動作成支援装置１は、電子機器の組立手順の作業要素と分解手順の作業要素とが関連付けて記憶されているデータベース１０と、データベース１０に記憶された組立手順の作業要素又は分解手順の作業要素を参照して組立手順書又は分解手順書の作成を支援する作成支援手段２０を備えている。
【００２２】
また、手順書自動作成支援装置１は、組立手順書が作成されている場合には、その組立手順書をデータベース１０に基づいて自動的に変換して分解手順書を生成し、分解手順書が作成されている場合には、その分解手順書をデータベース１０に基づいて自動的に変換し組立手順書を生成する手順変換手段３０を備えている。
【００２３】
この他、データベース１０の登録および更新を行う登録更新手段５０、生成された組立手順書又は分解手順書を編集する編集手段７０、および組立手順書と分解手順書とを切換えて表示する他、前記登録更新手段および前記編集手段に対するデータの入力および表示を行う入力表示手段６０を備える構成としてもよい。
【００２４】
また、生成された組立手順書および分解手順書の少なくとも一方を記憶する記憶手段４０を備える構成としてもよい。
【００２５】
データベース１０に記憶される組立手順又は分解手順書の作業要素は、例えば電子部品や機構部品等の組立て作業や分解作業の対象となる対象物が含まれる。また、対象物に対する作業内容も作業要素として記憶される。作業内容をデータベース１０に記憶させる際には、共通の対象物に対して行われる組立工程における作業内容と分解工程における作業内容とが関連付けて記憶させる。
【００２６】
例えば、「ねじ」が共通の対象物である場合には、組立工程における作業内容は「締める」であり、分解工程における作業内容は「取り外す」である。従って、データベース１０には、「ねじ」、「締める」、および「取り外す」が相互に関連付けて記憶される。このような関連付けによって、後述するように組立手順書から分解手順書への自動変換が可能となる。
【００２７】
作成支援手段２０は、手順書作成担当者が実際に手順書を作成する作業が容易に行えるように支援する手段で有る。コンピュータの画面上での作成作業が容易かつ迅速に行えるように使い易い画面構成等を提供する。
【００２８】
手順変換手段３０は、組立手順書が既に完成している場合には、その組立手順書から自動的に変換して分解手順書を作成する手段である。或いは逆に、分解手順書が既に完成している場合には、その分解手順書から自動的に変換して組立手順書を作成する手段である。
【００２９】
登録更新手段５０は、データベース１０の登録更新を行う手段である。データベース１０上の作業要素を追加、変更、削除等を行う。また、初期段階において新たにデータベース１０を構築する際にも登録更新手段５０を用いる。
【００３０】
記憶手段４０は、作成された組立手順書又は分解手順書のいずれか一方を記憶する手段であり、ＨＤＤ等の適宜の記憶装置で構成される。組立手順書又は分解手順書のいずれか一方が記憶されていれば、手順変換手段３０によって他方の手順は自動的に作成されるため、組立手順書と分解手順書とを双方記憶する必要性は必ずしもないが、一旦双方の手順が作成された後には双方を記憶する形態としてもよい。
【００３１】
編集手段７０は、作成された組立手順書或いは分解手順書に対して適宜修正を行うための手段である。編集手段７０と作成支援手段２０とを共通化する形態としてもよい。
【００３２】
入力表示手段６０は、例えば、コンピュータのディスプレイ、キーボード、ポインティングデバイス等で構成されるものであり、登録更新手段５０、作成支援手段２０、編集手段７０等に対してデータ授受を行う。
【００３３】
図２は、本発明の実施形態に係る手順書自動作成支援システム１００の構成例を示した図である。手順書自動作成支援システム１００は、電気通信回線３に連接されるサーバ２と、電気通信回線３に接続される端末４を備えて構成される。
【００３４】
サーバ２は、基本的には図１で示した手順書自動作成支援装置１と同じ構成を具備するものである。
【００３５】
端末４は、例えばパーソナルコンピュータで構成されるものであり、サーバ２で作成された組立手順書或いは分解手順書を閲覧することができる閲覧手段８０を備えている。
【００３６】
サーバ２は、端末４からの指示によって組立手順書と分解手順書とを適宜切換えて端末４へ送信するように構成されている。この結果、端末４では組立手順書或と分解手順書とを随時切換えて閲覧することができる。
【００３７】
サーバ２と端末４とが連接する電気通信回線３は、特に限定するものではなく、例えばＬＡＮ、インタネット等である。有線、無線を問わない。
【００３８】
（２）動作
上記のように構成された手順書自動作成支援装置１および手順書自動作成支援システム１００の動作について説明する。
【００３９】
図３は、手順変換手段３０による組立手順書（以下、単に組立手順という）と分解手順書（以下、単に分解手順という）の自動変換の動作概念を説明する図である。図３（ａ）は、データベース１０に記憶される作業要素の一例を示している。データベース１０には、作業の対象物、組立工程の作業内容、分解工程の作業内容がそれぞれ関連付けて記憶されている。
【００４０】
作業の対象物は、例えば、「筐体Ａ」、「基板Ｂ」、「ネジＣ」等である。また、組立工程の作業内容は、例えば、「締める」、「配置する」、「取り付ける」等である。分解工程の作業内容は、例えば「取り外す」等である。
【００４１】
一方、図３（ｂ）は、作成支援手段２０等によって作成され、記憶手段４０に記憶されている組立手順の一例を示したものである。組立手順には、工程の順序毎に工程番号が付され、工程番号毎に、組立作業の対象物と作業内容が記されている。実際の組立手順には作業対象物の数量や取付け先等が含まれるが、図３（ｂ）では説明の便宜上簡略化している。
【００４２】
組立手順から分解手順への変換は、データベース１０を参照することにより容易に行うことができる。
【００４３】
まず、工程番号を対象物と共に逆転させる。通常、分解は組立の逆の順序で行われるため、組立手順の工程番号を逆に並べ替えることで分解手順の工程順序を決定することができる。図３（ｂ）に示した例では、組立手順は工程番号「１」（対象物が「筐体Ａ」）から始まり工程番号「７」（対象物が「ネジＧ」）で終了している。そこで、まず、工程番号を逆に並べ替えた中間手順（図示せず）を生成する。
【００４４】
並べ替えた中間手順では、例えば、工程番号「１」には、作業対象物「ネジＧ」と組立作業内容「締める」が記されたものとなっている。
【００４５】
次に、組立作業内容を分解作業内容に置き換えていく。この置き換えは、対象物と組立工程の作業内容とで関連付けられている分解工程の作業内容をデータベース１０から呼び出すことで実行できる。例えば、データベース１０には、作業対象物「ネジＧ」の組立作業内容「締める」に対応する分解作業内容が「取り外す」であることが記憶されている。そこで、工程番号「１」の分解作業内容を「取り外す」に置き換える。
【００４６】
他の工程番号についても同様にして作業内容を置き換えていくことで分解手順をすべて作成することができる。
【００４７】
図３（ａ）に示した例では、データベース１０上の対象物として、「ネジＧ」、「基板Ｂ」等のようにかなり限定して特定したものとなっているが、より広く「ネジ」、「基板」という特定でもよい。この場合、手順変換手段３０では、「ネジＧ」が「ネジ」に含まれることを判断した後、該当する作業内容を参照すればよい。
【００４８】
次に、手順書自動作成支援装置１を用いて、組立手順又は分解を作成、編集し、作成した組立手順又は分解手順をプレビューし、相互変換する一連の手順を、入力表示手段６０の表示画面を参照して説明する。
【００４９】
図４は、全体の遷移状態を示す表示画面群を示す図である。大きく分類すると、組立手順又は分解手順を作成・編集する手順に対応する表示画面と、作成した組立手順又は分解手順をプレビューする表示画面とに分類される。
【００５０】
組立手順又は分解手順を作成・編集する手順に対応する表示画面は、作成編集画面３００と、補足説明編集画面４００とを備えている。また、作成した組立手順又は分解手順をプレビューする表示画面は、組立手順プレビュー画面１００と分解手順プレビュー画面２００とを備えている。
【００５１】
図５は、作成編集画面３００の表示例を示す図である。図５を用いて組立手順の作成手順の一例を説明する。
【００５２】
まず、タイトルボックス３０３に作成する組立手順の対象機種名等を入力する。例えば「機種Ａ」とキーボードで入力する。次に作成する手順が「組立」手順か「分解」手順かをプルダウンボックス３０４で入力する。本例では、「組立」を選択する。
【００５３】
「順序」ボックス３０５には、予め工程番号「１」から順番に番号が割り付けられているが、変更が必要な場合には適宜数値を入力して変更する。
【００５４】
次に、「対象物」ボックス３０６、「数量」ボックス３０７、「単位」ボックス３０８、「非対称物」ボックス３０９、および「作業内容」ボックス３１０に、適宜テキストを入力し、或いはプルダウンメニューから選択してデータを設定していく。
【００５５】
「対象物」ボックス３０６には、組立作業の対象物を、例えば「ファン１」と入力する。「数量」ボックス３０７には、組み立てる（取付ける）対象物の数量を、例えば「１」と入力する。「単位」ボックス３０８には、数量の単位を、プルダウンメニューから選択し、例えば「個」と設定する（対象物がテープ等の場合には、例えば「ｍｍ」を選択する）。「非対称物」ボックス３０９には、対象物の相手先（取付け先）を、例えば「ベースアセンブリ」と入力する。
【００５６】
「作業内容」ボックス３１０には、予め定めてある作業内容をプルダウンメニューの中から選択して作業内容を設定する。
【００５７】
図６に示した表は、プルダウンメニューの一例を示すものである。例えば、表の２列目には、作成編集画面３００で組立時の作業内容を選択する際に「作業内容」ボックス３１０に表示される文言が示されている。この表示は、例えば、「取り付け＋コネクタ取り付け」のように作業内容を簡潔に表す文言が用いられる。
【００５８】
また、表の４列目には、作成編集画面３００で分解時の作業内容を選択する際に「作業内容」ボックス３１０に表示される文言が示されている。例えば、「コネクタ取り外し＋取り外し」等である。
【００５９】
一方、表の３列目と５列目には、選択した作業内容を用いて実際に組立手順或いは分解手順を文章の形で表現するときの対応表現を示している。
【００６０】
例えば、「取り付け＋コネクタ取り付け」を組立の作業内容として選択した場合には、作成される組立手順には、「取り付け、コネクタを取付ける。」のように文章の形態で表示されることを示している。
【００６１】
ここまでの手順で、何を（「対象物」）、どれだけ（「数量」、「単位」）、どこに（「被対象物」）、どうする（「作業内容」）かが入力されることになる。
【００６２】
さらに、各工程番号では、作業を補足説明する添付図や補足説明文を付加することができる形態となっている。
【００６３】
図７は、作成編集画面３００から補足説明編集画面４００へ移行する様子を示している。作成編集画面３００から補足説明編集画面４００への移行は、作成編集画面３００の「編集」ボタン３１１をクリックすることによって行われる。
【００６４】
図８は、補足説明編集画面４００の一例を示した図である。補足説明編集画面４００は、例えば、添付図を貼り付ける図面領域４０１と補足説明を書き込む説明文領域４０３を有している。
【００６５】
図面領域４０１は、他の設計製造図面等で作成済みの図面を読込み貼り付ける領域である。必要に応じて修正やコメントを追加できる形態としてもよい。添付図が確定すると、「追加」ボタン４０２をクリックして画像を添付する。
【００６６】
説明文領域４０３は、作業内容の補足や注意事項等を適宜テキストとして記入する領域である。図面領域４０１や説明文領域４０３には、図面や補足説明文を新たに作成することもできるし、またこれらが既に作成されている場合には、適宜追加、削除、変更等の編集を行うこともできる。
【００６７】
画像の添付と補足説明の記入が終了すると「保存」ボタンをクリックすることで作成、編集した内容を保存し、作成編集画面３００へ戻る。また、「キャンセル」ボタンをクリックすると作成、編集内容をキャンセルして作成編集画面３００へ戻る。
【００６８】
ここまでの手順を各工程番号に対して入力することによって組立手順の作成作業が終了する。最後に作成編集画面３００（図５）に戻り、「保存」ボタンをクリックすることによって組立手順が記憶手段４０に保存され、組立手順プレビュー画面１００へ移行する。
【００６９】
なお、「キャンセル」ボタン３０２をクリックすると、作成した内容や編集内容をキャンセルして組立手順プレビュー画面１００へ移行する。
【００７０】
図９は、組立手順プレビュー画面１００の一例を示す図である。組立手順プレビュー画面１００は、作成、編集された組立手順を確認或いは閲覧するための画面である。
【００７１】
組立手順プレビュー画面１００は、工程番号毎に区切られた手順表示領域１０１を有している。各手順表示領域１０１には、作業内容表示領域１０２、補足説明表示領域１０３、および添付図表示領域１０４が設けられている。
【００７２】
作業内容表示領域１０２には、作成編集画面３００で作成された、何を、どれだけ、どこに、どうする、という作業内容が文章の形態で表示される。
【００７３】
補足説明表示領域１０３には、補足説明編集画面４００で作成された補足説明のテキストが表示される。また、添付図表示領域１０４には、補足説明編集画面４００で添付された添付図が表示される。
【００７４】
組立手順の作成担当者は、組立手順プレビュー画面１００を確認することによって作成内容を容易に確認することができる。変更が必要な場合には、「編集」ボタンをクリックして作成編集画面３００に移行させ、再度編集することができる。
【００７５】
組立手順が一旦作成されると、前述したように、その組立手順を自動的に変換して分解手順を生成することができる。
【００７６】
この変換は、組立手順プレビュー画面１００の「逆手順表示」ボタンをクリックすることによって実行される。
【００７７】
「逆手順表示」ボタンのクリックによって、組立手順から分解手順への変換が自動的に行われると共に、図１０に示したように、組立手順プレビュー画面１００から、生成された分解手順を表示する分解手順プレビュー画面２００へと移行する。
【００７８】
図１１は、分解手順プレビュー画面２００の一例を示す図である。
【００７９】
分解手順プレビュー画面２００は、組立手順プレビュー画面１００と同様に、工程番号毎に区切られた手順表示領域２０１を有している。各手順表示領域２０１には、作業内容表示領域２０２、補足説明表示領域２０３、および添付図表示領域２０４が設けられている。
【００８０】
作業内容表示領域２０２には、作成編集画面３００で作成された、何を、どれだけ、どこに、どうする、という作業内容が文章の形態で表示される。
【００８１】
補足説明表示領域２０３には、補足説明編集画面４００で作成された補足説明のテキストが表示される。また、添付図表示領域２０４には、補足説明編集画面４００で添付された添付図面が表示される。
【００８２】
手順作成担当者は、この分解手順プレビュー画面２００によって分解手順を確認する。要すれば、「編集」ボタンをクリックして作成編集画面３００に戻り、編集作業を行うことができる。
【００８３】
上記の説明では、組立手順を先に作成し、作成した組立手順から自動変換によって分解手順を生成する流れを示したが、分解手順を先に作成し、作成した分解手順から自動変換によって組立手順を生成することも可能である。手順の流れは上記の説明と全く同様となるため説明は省略する。
【００８４】
本実施形態に係る手順書自動作成支援装置１によれば、組立手順又は分解手順のいずれか一方を作成すれば、作成した一方から他方を自動変換して容易かつ迅速に作成することができる。このため、手順所作成に要する工数が半減される。
【００８５】
また、手順の作成に必要となる作業内容の記述は、予め登録してあるデータベースからプルダウンメニュー等によって選択することが可能であるため、効率よく手順作成を行うことができる。
【００８６】
また、作成した手順は、手順プレビュー画面１００、２００によって迅速に確認でき、作成編集画面３００や補足説明編集画面４００によって容易に編集可能な形態となっているため、作成した手順のメインテナンスも効率良く行うことができる。
【００８７】
さらに、組立手順プレビュー画面１００と分解手順プレビュー画面２００とは瞬時に切換えて閲覧可能に構成されているため、現場作業担当者は組立作業、分解作業のいずれの作業であっても必要な箇所に迅速にアクセスすることができ、作業効率が向上する。
【００８８】
図２に示した手順書自動作成支援システム１００は、上述した手順書自動作成支援装置１と同じ構成のサーバ２を有している。従って、手順書自動作成支援装置１の動作はそのまま手順書自動作成支援システム１００の動作にも当てはまる。また、手順書自動作成支援装置１による効果もそのまま手順書自動作成支援システム１００にも当てはまる。
【００８９】
手順書自動作成支援システム１００ではさらに端末４を１つ或いは複数備えた構成となっている。端末４は、例えば組立・分解作業現場に配置される。
【００９０】
端末４は、閲覧手段８０を備えており、閲覧手段８０によってサーバ２で作成された組立手順を閲覧することができる。また、端末４から手順変換指示をサーバ４へ送ることにより、サーバ２は手順変換手段３０によって、作成された組立手順を自動変換して分解手順を生成する。この分解手順を端末４から閲覧することによって、端末４側では組立手順と分解手順とを瞬時に切換えて閲覧することが可能となり、現場作業の効率向上となる。
【００９１】
なお、本発明は上記の実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせても良い。
【図面の簡単な説明】
【００９２】
【図１】本発明に係る手順書自動作成支援装置の実施形態の構成例を示す図。
【図２】本発明に係る手順書自動作成支援システムの実施形態の構成例を示す図。
【図３】組立手順と分解手順の相互の自動変換の動作概念の説明図。
【図４】表示画面の遷移の全体の流れを示す図。
【図５】作成編集画面の表示例を示す図。
【図６】作成編集画面の表示にかかる補足説明図。
【図７】作成編集画面から補足説明編集画面への移行を示す図。
【図８】補足説明編集画面の表示例を示す図。
【図９】組立手順プレビュー画面の表示例を示す図。
【図１０】組立手順プレビュー画面から分解手順プレビュー画面への移行を示す図。
【図１１】分解手順プレビュー画面の表示例を示す図。
【符号の説明】
【００９３】
１  手順書自動作成支援装置
２  サーバ
３  電気通信回線
４  端末
１０  データベース
２０  作成支援手段
３０  手順変換手段
４０  記憶手段
５０  登録・更新手段
６０  入力表示手段
７０  編集手段
８０  閲覧手段
１００  手順書自動作成支援システム
【図１】
2007007740.tif 000003
【図２】
2007007740.tif 000004
【図３】
2007007740.tif 000005
【図４】
2007007740.tif 000006
【図５】
2007007740.tif 000007
【図６】
2007007740.tif 000008
【図７】
2007007740.tif 000009
【図８】
2007007740.tif 000010
【図９】
2007007740.tif 000011
【図１０】
2007007740.tif 000012
【図１１】
2007007740.tif 000013